(57)【要約】【課題】所望の標的イエロー色をより正確に再現する色素の組合せと感熱色素転写式ドナーを提供すること。【解決手段】本発明による感熱色素転写式画像形成ドナー要素は、２種以上のイエロー色素の組合せを含有するイエロー色素ドナーを含んで成り、該イエロー色素の組合せが示すＲＭＳエラーが０．０１５未満であることを特徴とする。【選択図】　　　なし【特許請求の範囲】
【請求項１】
２種以上のイエロー色素の組合せを含有するイエロー色素ドナーを含んで成り、該イエロー色素の組合せが示すＲＭＳエラーが０．０１５未満であることを特徴とする、感熱色素転写式画像形成ドナー要素。
【請求項２】
下式Ｉ〜ＩＩＩで表わされる色素から選ばれた２種以上の色素を含む、請求項１に記載の要素。
【化１】
2004025863.tif 000028
（上式中、
Ｒ１は、炭素原子数１〜６のアルキル又はアリル基であり、
Ｒ２は、Ｒ１について定義された基のいずれかであるか又は、Ｒ３と結合したときに５員環もしくは６員環を形成する原子群を表わし、
Ｒ３は、Ｒ１について定義されたアルキル基であるか、炭素原子数１〜６のアルコキシ基であるか又は、Ｒ２と結合したときに５員環もしくは６員環を形成する原子群を表わし、
Ｒ４は、Ｒ１について定義されたアルキル基又は炭素原子数６〜１０のアリール基であり、そして
Ｒ５は、Ｒ４について定義された基のいずれかである。）
【化２】
2004025863.tif 000029
（上式中、
Ｒ６は、炭素原子数１〜６のアルキル又はアリル基であり、
Ｒ７は、Ｒ６について定義された基のいずれかであるか又は、Ｒ８と結合したときに５員環もしくは６員環を形成する原子群を表わし、
Ｒ８は、Ｒ６について定義されたアルキル基であるか、炭素原子数１〜６のアルコキシ基であるか又は、Ｒ７と結合したときに５員環もしくは６員環を形成する原子群を表わし、そして
Ｒ９は、シアノ基又は−ＣＯＮＲ１０Ｒ１１（式中Ｒ１０及びＲ１１は、各々独立に、炭素原子数１〜６のアルキル基、炭素原子数５〜７のシクロアルキル基、アリル基、炭素原子数６〜１０のアリール基又は原子数５〜１０のヘテロアリール基を表わす。）である。）
【化３】
2004025863.tif 000030
（上式中、
Ｒ１０は、メチル基、炭素原子数１〜１０のアルコキシ基、炭素原子数６〜１０のアリールオキシ基、アシル基、カルボンアミド基、カルボアルコキシ基又はアミノ基を表わし、
Ｒ１１は、炭素原子数１〜１０のアルキル基、炭素原子数５〜７のシクロアルキル基又は炭素原子数６〜１０のアリール基を表わし、そして
Ｒ１２及びＲ１３は、各々独立に、炭素原子数１〜６のアルキル基、炭素原子数５〜７のシクロアルキル基、アリル基、炭素原子数６〜１０のアリール基又は原子数５〜１０のヘテロアリール基を表す。）
【請求項３】
前記式ＩＩのイエロー色素が、Ｒ６及びＲ７の各々がアルキル基であり、かつ、Ｒ９がシアノ基、カルバモイル基又はアルコキシカルボニル基である色素である、請求項２に記載の要素。
【請求項４】
下式ＩＶで表わされる追加の色素を含有する、請求項２に記載の要素。
【化４】
2004025863.tif 000031
（上式中、
Ｒ１４は、メチル基、炭素原子数１〜１０のアルコキシ基、炭素原子数６〜１０のアリールオキシ基、アシル基、カルボンアミド基、カルボアルコキシ基又はアミノ基を表わし、
Ｒ１５は、炭素原子数１〜１０のアルキル基、炭素原子数５〜７のシクロアルキル基又は炭素原子数６〜１０のアリール基を表わし、
Ｒ１６は、炭素原子数１〜１０のアルキル基、炭素原子数５〜７のシクロアルキル基、アリル基、炭素原子数６〜１０のアリール基又は原子数５〜１０のヘテロアリール基を表わし、
ＸはＣ（ＣＨ３）２、Ｓ、Ｏ又はＮＲ１５を表わし、そして
Ｙは置換型又は無置換型のフェニレン基を表わす。）
【請求項５】
さらにＩＲ色素を含む、請求項１又は２に記載の要素。
【発明の詳細な説明】
【０００１】
【発明の属する技術分野】
本発明は、標的とする印刷インクに分光的によく整合する色素の組合せに関する。より詳細には、本発明は、印刷機から得られる印刷されたカラー画像の色相を正確に表す色校正刷を得るために用いられるイエロー画像色素の組合せを含むイエロードナー要素に関する。
【０００２】
【従来の技術】
紙上へのインク印刷によって連続調の（写真のような）画像の発現に近づけるために、商業的印刷工業は中間調印刷として知られるプロセスに依存している。中間調印刷では、色濃度段階は、写真印刷でなされている色濃度を連続的に変化させる代わりに、色濃度は同一であるが面積が変化する網点または領域の印刷パターンによって作られる。
【０００３】
印刷機を運転させる前に色校正刷画像を得るという重要な商業的要求がある。色校正刷は印刷機から得られた印刷物の少なくとも細部とカラートーンスケールを正確に表わすことが望ましい。多くの場合、色校正刷は、印刷機から得られた印刷物の画質と中間調パターンを正確に表わすことも要求される。インク印刷されたフルカラーの画像を製作するのに必要な一連の操作において、校正刷は、最後の３つまたはそれ以上の印刷版または胴が作られる色分解データの正確性をチェックすることもまた要求される。伝統的に、このような色分解校正刷は、最後のフルカラーの画像が組み立てられる前に多くの露光および処理工程が要求されるハロゲン化銀感光システムを必要としている。
【０００４】
印刷工業で使用される色料は不溶性顔料である。それらの顔料特性によって、印刷インクの分光光度曲線は深色側または浅色側のどちらかでしばしば異常に鋭くなる。これは、顔料ではなく色素が用いられる色校正刷システムにおいて問題を生じる場合がある。単一の色素を用いて、一定のインクの色相に適合させることは非常に困難である。
【０００５】
米国特許第５１２６７６０号明細書には、色素受容体要素に原画像の直接デジタル中間調色校正刷を製作するプロセスが記載されている。その後、この校正刷は印刷機から得られる印刷されたカラー画像を表わすのに用いることができる。そこに記載されたプロセスは以下のとおりである。
ａ）原画像の形と色段階を表わす一組の電気信号を発生させること、
ｂ）支持体上に色素層と赤外線吸収物質を有する色素供与体要素を、支持体上にポリマー色素画像受容性層を有する第一の色素受容性要素と接触させること、
ｃ）前記信号を用いて色素供与体要素をダイオードレーザーによって像様加熱し、よって第一の色素受容性要素に色素画像を転写すること、および
ｄ）印刷されるカラー画像と同じ基板を有する第二の色素画像受容性要素にその色素画像を再転写すること。
上記のプロセスでは、校正刷において完全な色領域を得るために多数の色素供与体が用いられる。例えば、フルカラー校正刷の場合、通常４色、すなわちシアン、マゼンタ、イエローおよびブラックが用いられる。
【０００６】
上記プロセスを用いることによって、赤外線吸収物質を含んでいる色素供与体をダイオードレーザーで加熱することにより色素を気化させることにより、画像色素は転写される。ダイオードレーザー線は原画像の形と色を表わしている一組の信号によって変調され、原画像を再構築するために色素受容性層上にその存在が要求されている領域でのみ気化が起こるように色素を加熱する。
【０００７】
同様に、米国特許第４９２３８４６号明細書に記載されているように、ダイオードレーザーの代わりにサーマルプリントヘッドを用いることによって感熱転写校正刷を作成することもできる。通常手に入るサーマルプリントヘッドは、十分な解像度の中間調画像を作ることはできないが、多くの場合に満足できる高品質の連続調校正刷画像を作ることはできる。また、同米国特許明細書は感熱画像校正刷システムで使用するための色素混合物の選択肢を開示している。米国特許第６０２２４４０号明細書に記載されているように、低コストの校正刷方法としてインクジェットも使用される。さらに、インクジェット校正刷は水性流体中に分散された色素の組合せ又は溶媒系に溶解された色素の組合せを用いて作成することもできる。米国特許第６３５２３３０号明細書は、これを完成させる方法を開示している。また、インクジェット印刷機は、そのコストによって多くの場合に満足されている高品質の連続調校正刷画像を作ることもできる。色素は色相エラー値および混濁値に基づいて選ばれる。ザ・グラフィック・アーツ・テクニカル財団調査報告Ｎｏ．３８（Ｔｈｅ　Ｇｒａｐｈｉｃ　Ａｒｔｓ　Ｔｅｃｈｎｉｃａｌ　Ｆｏｕｎｄａｔｉｏｎ　Ｒｅｓｅａｒｃｈ　Ｒｅｐｏｒｔ　Ｎｏ．３８）、「カラーマテリアル（Ｃｏｌｏｒ　Ｍａｔｅｒｉａｌ）」（５８−（５）、２９３−３０１、１９８５）はこの方法について説明している。
【０００８】
色の測定と分析のための別法の、またさらに正確な方法はＣＩＥＬＡＢとして知られる均一の色空間の概念を用いる。その中で、試料は、その分光光度曲線、試料を観察する光源の性質、および標準観察者のカラー視覚の観点で、数学的に分析される。ＣＩＥＬＡＢおよび色測定については、エフ・ダヴリュ・ビルマイア（Ｆ．Ｗ．Ｂｉｌｌｍｅｙｅｒ）著、「プリンシプル・オブ・カラーテクノロジー（Ｐｒｉｎｃｉｐｌｅｓ　ｏｆ　Ｃｏｌｏｒ　Ｔｅｃｈｎｏｌｏｇｙ）、第２版、ウィレイ・インターサイエンス（Ｗｉｌｅｙ　Ｉｎｔｅｒｓｃｉｅｎｃｅ）、ｐｐ．２５−１１０、および、エフ・グラム（Ｆ．Ｇｒｕｍ）著、「オプティカル・ラディエイション・メジャメント（Ｏｐｔｉｃａｌ　Ｒａｄｉａｔｉｏｎ　Ｍｅａｓｕｒｅｍｅｎｔｓ）」、第２巻、アカデミック・プレス（Ａｃａｄｅｍｉｃ　Ｐｒｅｓｓ）、ｐｐ．３３−１４５に記載されている。
【０００９】
ＣＩＥＬＡＢを用いると、色は３つのパラメーター、Ｌ＊、ａ＊およびｂ＊によって表わされる。ここで、Ｌ＊は明度の関数であり、ａ＊およびｂ＊は色空間中の点を定義する。このように、ある色試料に関してｂ＊値に対するａ＊値のプロットは、その試料が色空間中のどこに存在するか、即ち、その色相が何であるかを正確に示すために用いられる。これは、異なる試料が類似した濃度とＬ＊値を有する場合でも、色相について比較することを可能にする。
【００１０】
印刷工業における色校正刷においては、インターナショナル・プリプレス・プルーフィング協会（Ｉｎｔｅｒｎａｔｉｏｎａｌ　Ｐｒｅｐｒｅｓｓ　Ｐｒｏｏｆｉｎｇ　Ａｓｓｏｃｉａｔｉｏｎ）によって準備された校正インク標準に整合できることが重要である。米国では、これらのインク標準は標準４色プロセスインクで作られた濃度パッチであり、ＳＷＯＰ（商標）［スペシフィケイション・ウェブ・オフセット・パブリケイション（Ｓｐｅｃｉｆｉｃａｔｉｏｎｓ　Ｗｅｂ　Ｏｆｆｓｅｔ　Ｐｕｂｌｉｃａｔｉｏｎ）］カラー目標として知られている。１９９５年に、ＳＷＯＰ認証プレスシート、ＡＮＳＩ　ＣＧＡＴＳ　ＴＲ　００１−１９９５が公表され、これが米国産業界での標準になりつつある。ウェブオフセット校正のためのインクの色測定についての追加の情報は、「印刷の科学と技術における進歩（Ａｄｖａｎｃｅｓｉｎ　Ｐｒｉｎｔｉｎｇ　Ｓｃｉｅｎｃｅ　ａｎｄ　Ｔｅｃｈｎｏｌｏｇｙ）」、ジェイ・ティー・リング（Ｊ．Ｔ．Ｌｉｎｇ）およびアール・ワーナー（Ｒ．Ｗａｒｎｅｒ）、印刷研究学会第１９回国際会議会報（Ｐｒｏｃｅｅｄｉｎｇｓ　ｏｆ　ｔｈｅ　１９ｔｈ　Ｉｎｔｅｒｎａｔｉｏｎａｌ　Ｃｏｎｆｅｒｅｎｃｅ　ｏｆ　Ｐｒｉｎｔｉｎｇ　Ｒｅｓｅｒｃｈ　Ｉｎｓｔｉｔｕｔｅｓ）、オーストリア、アイゼンシュタット（Ｅｉｓｅｎｓｔａｄｔ）、１９８７年６月、ｐ．５５に記載されている。
【００１１】
ＳＷＯＰ（商標）目標を採用しない国で使える校正刷を準備することもまた望まれる。例えば、日本では異なった規格が使われており、ジャパンカラーに密接に整合することが望まれている。本明細書に記載するジャパンカラー目標は、９種のインク製造業者のイエローインクの平均値及び目下ＩＳＯ／ＴＣ１３０について日本国内委員会が検討中の２００１ジャパンカラー／カラーサンプル測色値に基づく。ジャパンカラープレスシートへの色参照は、日本印刷協会発行の実印刷物の測定に基づく。
【００１２】
米国特許第５０８１１０１号明細書に、感熱ドナー要素においてジシアノメチリデン−アリーリデン系イエロー色素とピラゾロン−アリーリデン系イエロー色素との混合物を使用することが開示されている。開示されている要素は、そのＣＩＥＬＡＢ　Ｌａｂ測定から明らかなように、正確な測色法を提供することができるが、その組合せは、プレスインクの分光特性との調和には、十分ではない。分光特性の不整合は、この方法で得られた画像がメタメリズム、すなわち知覚される色が、当該画像を観測する測色用の光に左右される条件を被る点で問題となる。
【００１３】
【特許文献１】
米国特許第５，０８１，１０１号明細書
【００１４】
【発明が解決しようとする課題】
本発明の目的は、所望の標的イエロー色をより正確に再現する色素の組合せと感熱色素転写式ドナーを提供することにある。
【００１５】
【課題を解決するための手段】
本発明によると、２種以上のイエロー色素の組合せを含有するイエロー色素ドナーを含んで成り、該イエロー色素の組合せが示すＲＭＳエラーが０．０１５未満、好ましくは０．０１０未満、より好ましくは０．００５未満、であることを特徴とする、色素の組合せ、感熱色素転写式画像形成ドナー要素及び画像形成法が提供される。
このような色素の組合せにより、標的色に対する色の整合性が改良される。
【００１６】
【発明の実施の形態】
本発明は、一般的には上述したとおりである。本発明の目的は、分光色再現性を改良し、よって当該二次色エラーを減少させることである。本発明の別の目的は、所望の測色法が改良される色校正刷のためのイエロー色素混合物を提供することである。
本発明において有用なイエロー色素は、下式Ｉ〜ＩＩＩで表わされる色素から好適に選ばれる。
【００１７】
【化５】
2004025863.tif 000002
【００１８】
上式中、
Ｒ１は、炭素原子数１〜６のアルキル又はアリル基、例えば、メチル、エチル、プロピル、イソプロピル、ブチル、ペンチル、アリル、ブト−２−エン−１−イル、１，１−ジクロロプロペン−３−イル又はこれらのアルキルもしくはアリル基を、ヒドロキシ、アシルオキシ、アルコキシ、アリール、カルボキシ、カルボアルコキシ、シアノ、アシルアミド、ハロゲン及びフェニルのような基で置換したもの、であり、
Ｒ２は、Ｒ１について定義された基のいずれかであるか又は、Ｒ３と結合したときに５員環もしくは６員環を形成する原子群を表わし、
Ｒ３は、Ｒ１について定義されたアルキル基であるか、炭素原子数１〜６のアルコキシ基であるか又は、Ｒ２と結合したときに５員環もしくは６員環を形成する原子群を表わし、
Ｒ４は、Ｒ１について定義されたアルキル基又は炭素原子数６〜１０のアリール基、例えば、フェニル、ナフチル、ｐ−トリル、ｍ−クロロフェニル、ｐ−メトキシフェニル、ｍ−ブロモフェニル及びｏ−トリル、であり、そして
Ｒ５は、Ｒ４について定義された基のいずれかである。
【００１９】
【化６】
2004025863.tif 000003
【００２０】
上式中、
Ｒ６は、炭素原子数１〜６のアルキル又はアリル基、例えば、メチル、エチル、プロピル、イソプロピル、ブチル、ペンチル、アリル、ブト−２−エン−１−イル、１，１−ジクロロプロペン−３−イル又はこれらのアルキルもしくはアリル基を、ヒドロキシ、アシルオキシ、アルコキシ、アリール、カルボキシ、カルボアルコキシ、シアノ、アシルアミド、ハロゲン及びフェニルのような基で置換したもの、であり、
Ｒ７は、Ｒ６について定義された基のいずれかであるか又は、Ｒ８と結合したときに５員環もしくは６員環を形成する原子群を表わし、
Ｒ８は、Ｒ６について定義されたアルキル基であるか、炭素原子数１〜６のアルコキシ基であるか又は、Ｒ７と結合したときに５員環もしくは６員環を形成する原子群を表わし、そして
Ｒ９は、シアノ基又は−ＣＯＮＲ１０Ｒ１１（式中Ｒ１０及びＲ１１は、各々独立に、炭素原子数１〜６のアルキル基、炭素原子数５〜７のシクロアルキル基、アリル基、炭素原子数６〜１０のアリール基、例えば、フェニル、ナフチル、ｐ−トリル、ｍ−クロロフェニル、ｐ−メトキシフェニル、ｍ−ブロモフェニル及びｏ−トリル、又は原子数５〜１０のヘテロアリール基、例えば、２−チエニル、２−ピリジルもしくは２−フリル、を表わす。）である。
【００２１】
【化７】
2004025863.tif 000004
【００２２】
上式中、
Ｒ１０は、メチル基、炭素原子数１〜１０のアルコキシ基、例えば、メトキシ、エトキシ、メトキシエトキシもしくは２−シアノエトキシ、炭素原子数６〜１０のアリールオキシ基、例えば、フェノキシもしくはナフトキシ、アシル基、カルボンアミド基、カルボアルコキシ基又はアミノ基を表わし、
Ｒ１１は、炭素原子数１〜１０のアルキル基、炭素原子数５〜７のシクロアルキル基又は炭素原子数６〜１０のアリール基を表わし、そして
Ｒ１２及びＲ１３は、各々独立に、炭素原子数１〜６のアルキル基、炭素原子数５〜７のシクロアルキル基、アリル基、炭素原子数６〜１０のアリール基、例えば、フェニル、ナフチル、ｐ−トリル、ｍ−クロロフェニル、ｐ−メトキシフェニル、ｍ−ブロモフェニルもしくはｏ−トリル、又は原子数５〜１０のヘテロアリール基、例えば、２−チエニル、２−ピリジルもしくは２−フリル、を表す。
追加の色素として、下式ＩＶで表わされる色素も有用である。
【００２３】
【化８】
2004025863.tif 000005
【００２４】
上式中、
Ｒ１４は、メチル基、炭素原子数１〜１０のアルコキシ基、例えば、メトキシ、エトキシ、メトキシエトキシもしくは２−シアノエトキシ、炭素原子数６〜１０のアリールオキシ基、例えば、フェノキシもしくはナフトキシ、アシル基、カルボンアミド基、カルボアルコキシ基又はアミノ基を表わし、
Ｒ１５は、炭素原子数１〜１０のアルキル基、炭素原子数５〜７のシクロアルキル基又は炭素原子数６〜１０のアリール基を表わし、
Ｒ１６は、炭素原子数１〜１０のアルキル基、炭素原子数５〜７のシクロアルキル基、アリル基、炭素原子数６〜１０のアリール基、例えば、フェニル、ナフチル、ｐ−トリル、ｍ−クロロフェニル、ｐ−メトキシフェニル、ｍ−ブロモフェニルもしくはｏ−トリル、又は原子数５〜１０のヘテロアリール基、例えば、２−チエニル、２−ピリジルもしくは２−フリル、を表わし、
ＸはＣ（ＣＨ３）２、Ｓ、Ｏ又はＮＲ１５を表わし、そして
Ｙは置換型又は無置換型のフェニレン基を表わす。
【００２５】
本発明においてＩＲドナーとして有用な好適な赤外色素は、式Ｖで表わされる赤外吸収物質である。
【００２６】
【化９】
2004025863.tif 000006
【００２７】
上式中、
Ｒ２０、Ｒ２１及びＲ２２は、各々独立に、水素、ハロゲン、シアノ、アルコキシ、アリールオキシ、アシルオキシ、アリールオキシカルボニル、アルコキシカルボニル、スルホニル、カルバモイル、アシル、アシルアミド、アルキルアミノ、アリールアミノ又は置換型もしくは無置換型のアルキル、アリールもしくはヘテロアリール基を表わすが、Ｒ２０、Ｒ２１及びＲ２２のうちの任意の二つが、互いに結合することにより、又は隣接する芳香環に結合することにより、５〜７員の炭素環式又は複素環式の環基を完成することはでき、
Ｒ２３、Ｒ２４、Ｒ２５及びＲ２６は、各々独立に、水素、炭素原子数１〜６のアルキルもしくはシクロアルキル基又は原子数５〜１０のアリールもしくはヘテロアリール基を表わすが、Ｒ２３、Ｒ２４、Ｒ２５及びＲ２６は、互いに結合することにより５〜７員の複素環式環を形成すること、或いは、隣接する芳香環の当該アニリノ窒素の結合位置に対してオルト位にある炭素原子に結合することにより、それらが結合している窒素と共に、５員もしくは６員の複素環式環基を形成することができ、
ｎは１〜５であり、
Ｘは１価のアニオンであり、そして
Ｚ１及びＺ２は、各々独立に、Ｒ２０の基又は、５〜７員の炭素環式もしくは複素環式の縮合環を完成するのに必要な原子群を表わす。
以下、式Ｉの範囲に包含される有用なイエロー色素の具体例を示す。
【００２８】
【化１０】
2004025863.tif 000007
【００２９】
以下、式ＩＩの範囲に包含される有用なイエロー色素の具体例を示す。
【００３０】
【化１１】
2004025863.tif 000008
【００３１】
上記の色素とそれらの合成手順については米国特許第３２４７２１１号及び同第５０８１１０１号明細書に記載されており、当該開示事項を本明細書の一部とする。
以下、式ＩＩＩの範囲に包含される有用なイエロー色素の具体例を示す。
【００３２】
【化１２】
2004025863.tif 000009
【００３３】
上記の色素とそれらの合成手順については米国特許第４８６６０２９号明細書に記載されており、当該開示事項を本明細書の一部とする。
以下、式ＩＶの範囲に包含される有用な色素の具体例を示す。
【００３４】
【化１３】
2004025863.tif 000010
【００３５】
構造式Ｖで表わされる有用な赤外吸収物質については米国特許第４９５０６３９号明細書の第３〜７欄に記載されており、当該開示事項を本明細書の一部とする。以下、有用な構造式Ｖａ及びＶｂの色素を示す。
【００３６】
【化１４】
2004025863.tif 000011
【化１５】
2004025863.tif 000012
【００３７】
特に断らない限り、用語「基」、「置換型」又は「置換基」は、水素以外の基又は原子のすべてを意味する。さらに、本願明細書中、置換可能な水素を含有する化合物又は基への言及は、その無置換形のみならず、本明細書に記載した何らかの置換基（１個又は複数個）でさらに置換されている形のものをも、当該置換基が所期の有用性に必要な特性を損なわない限りにおいて、包含することを意図するものである。好適には、置換基は、ハロゲンであること、或いは当該分子の残部に対して炭素、ケイ素、酸素、窒素、リン又は硫黄の原子によって結合されていることが可能である。置換基は、例えば、ハロゲン（例、塩素、臭素又はフッ素）、ニトロ、ヒドロキシル、シアノ、カルボキシル、又はさらに置換されていてもよい基、例えば、直鎖もしくは分岐鎖の又は環状のアルキルをはじめとするアルキル〔例、メチル、トリフルオロメチル、エチル、ｔ−ブチル、３−（２，４−ジ−ｔ−ペンチルフェノキシ）プロピル、シクロヘキシル及びテトラデシル〕、アルケニル（例、エチレン、２−ブテン）、アルコキシ〔例、メトキシ、エトキシ、プロポキシ、ブトキシ、２−メトキシエトキシ、ｓｅｃ−ブトキシ、ヘキシルオキシ、２−エチルヘキシルオキシ、テトラデシルオキシ、２−（２，４−ジ−ｔ−ペンチルフェノキシ）エトキシ及び２−ドデシルオキシエトキシ〕、アリール（例、フェニル、４−ｔ−ブチルフェニル、２，４，６−トリメチルフェニル、ナフチル）、アリールオキシ（例、フェノキシ、２−メチルフェノキシ、α−又はβ−ナフチルオキシ及び４−トリルオキシ）、カルボンアミド〔例、アセトアミド、ベンズアミド、ブチルアミド、テトラデカンアミド、α−（２，４−ジ−ｔ−ペンチルフェノキシ）アセトアミド、α−（２，４−ジ−ｔ−ペンチルフェノキシ）ブチルアミド、α−（３−ペンタデシルフェノキシ）ヘキサンアミド、α−（４−ヒドロキシ−３−ｔ−ブチルフェノキシ）テトラデカンアミド、２−オキソ−ピロリジン−１−イル、２−オキソ−５−テトラデシルピロリン−１−イル、Ｎ−メチルテトラデカンアミド、Ｎ−スクシンイミド、Ｎ−フタルイミド、２，５−ジオキソ−１−オキサゾリジニル、３−ドデシル−２，５−ジオキソ−１−イミダゾリル、Ｎ−アセチル−Ｎ−ドデシルアミノ、エトキシカルボニルアミノ、フェノキシカルボニルアミノ、ベンジルオキシカルボニルアミノ、ヘキサデシルオキシカルボニルアミノ、２，４−ジ−ｔ−ブチルフェノキシカルボニルアミノ、フェニルカルボニルアミノ、２，５−（ジ−ｔ−ペンチルフェニル）カルボニルアミノ、ｐ−ドデシルフェニルカルボニルアミノ、ｐ−トリルカルボニルアミノ、Ｎ−メチルウレイド、Ｎ，Ｎ−ジメチルウレイド、Ｎ−メチル−Ｎ−ドデシルウレイド、Ｎ−ヘキサデシルウレイド、Ｎ，Ｎ−ジオクタデシルウレイド、Ｎ，Ｎ−ジオクチル−Ｎ’−エチルウレイド、Ｎ−フェニルウレイド、Ｎ，Ｎ−ジフェニルウレイド、Ｎ−フェニル−Ｎ−ｐ−トリルウレイド、Ｎ−（ｍ−ヘキサデシルフェニル）ウレイド、Ｎ，Ｎ−（２，５−ジ−ｔ−ペンチルフェニル）−Ｎ’−エチルウレイド及びｔ−ブチルカルボンアミド〕、スルホンアミド（例、メチルスルホンアミド、ベンゼンスルホンアミド、ｐ−トリルスルホンアミド、ｐ−ドデシルベンゼンスルホンアミド、Ｎ−メチルテトラデシルスルホンアミド、Ｎ，Ｎ−ジプロピル−スルファモイルアミノ及びヘキサデシルスルホンアミド）、スルファモイル｛例、Ｎ−メチルスルファモイル、Ｎ−エチルスルファモイル、Ｎ，Ｎ−ジプロピルスルファモイル、Ｎ−ヘキサデシルスルファモイル、Ｎ，Ｎ−ジメチルスルファモイル、Ｎ−〔３−（ドデシルオキシ）プロピル〕スルファモイル、Ｎ−〔４−（２，４−ジ−ｔ−ペンチルフェノキシ）ブチル〕スルファモイル、Ｎ−メチル−Ｎ−テトラデシルスルファモイル及びＮ−ドデシルスルファモイル｝、カルバモイル｛例、Ｎ−メチルカルバモイル、Ｎ，Ｎ−ジブチルカルバモイル、Ｎ−オクタデシルカルバモイル、Ｎ−〔４−（２，４−ジ−ｔ−ペンチルフェノキシ）ブチル〕カルバモイル、Ｎ−メチル−Ｎ−テトラデシルカルバモイル及びＮ，Ｎ−ジオクチルカルバモイル｝、アシル〔例、アセチル、（２，４−ジ−ｔ−アミルフェノキシ）アセチル、フェノキシカルボニル、ｐ−ドデシルオキシフェノキシカルボニル、メトキシカルボニル、ブトキシカルボニル、テトラデシルオキシカルボニル、エトキシカルボニル、ベンジルオキシカルボニル、３−ペンタデシルオキシカルボニル及びドデシルオキシカルボニル〕、スルホニル（例、メトキシスルホニル、オクチルオキシスルホニル、テトラデシルオキシスルホニル、２−エチルヘキシルオキシスルホニル、フェノキシスルホニル、２，４−ジ−ｔ−ペンチルフェノキシスルホニル、メチルスルホニル、オクチルスルホニル、２−エチルヘキシルスルホニル、ドデシルスルホニル、ヘキサデシルスルホニル、フェニルスルホニル、４−ノニルフェニルスルホニル及びｐ−トリルスルホニル）、スルホニルオキシ（例、ドデシルスルホニルオキシ及びヘキサデシルスルホニルオキシ）、スルフィニル（例、メチルスルフィニル、オクチルスルフィニル、２−エチルヘキシルスルフィニル、ドデシルスルフィニル、ヘキサデシルスルフィニル、フェニルスルフィニル、４−ノニルフェニルスルフィニル及びｐ−トリルスルフィニル）、チオ〔例、エチルチオ、オクチルチオ、ベンジルチオ、テトラデシルチオ、２−（２，４−ジ−ｔ−ペンチルフェノキシ）エチルチオ、フェニルチオ、２−ブトキシ−５−ｔ−オクチルフェニルチオ及びｐ−トリルチオ〕、アシルオキシ（例、アセチルオキシ、ベンゾイルオキシ、オクタデカノイルオキシ、ｐ−ドデシルアミドベンゾイルオキシ、Ｎ−フェニルカルバモイルオキシ、Ｎ−エチルカルバモイルオキシ及びシクロヘキシルカルボニルオキシ）、アミン（例、フェニルアニリノ、２−クロロアニリノ、ジエチルアミン、ドデシルアミン）、イミノ〔例、１−（Ｎ−フェニルイミド）エチル、Ｎ−スクシンイミド又は３−ベンジルヒダントイニル〕、ホスフェート（例、ジメチルホスフェート及びエチルブチルホスフェート）、ホスフィット（例、ジエチルホスフィット及びジヘキシルホスフィット）、酸素、窒素及び硫黄から成る群より選択された少なくとも１種の異種原子と炭素原子とを含む３〜７員複素環を含有し、また置換されていてもよいそれぞれ複素環式基、複素環式オキシ基又は複素環式チオ基（例、２−フリル、２−チエニル、２−ベンズイミダゾリルオキシ又は２−ベンゾチアゾリル）、第四アンモニウム（例、トリエチルアンモニウム）並びにシリルオキシ（例、トリメチルシリルオキシ）であることができる。
【００３８】
所望であれば、これらの置換基自体が上記の置換基でさらに１回以上置換されていてもよい。用いられる特定の置換基は、特定の用途に望まれる特性が得られるよう当業者であれば選ぶことができ、例えば、疎水性基、可溶化性基、ブロック基及び放出性又は放出可能基を含み得る。ある分子が２以上の置換基を有する可能性がある場合には、特に断らない限り、当該置換基同士が結合して縮合環のような環を形成してもよい。一般に、上記の基及びその置換基は、４８個以下の炭素原子、典型的には１〜３６個の炭素原子、通常は２４個未満の炭素原子を有するものを含むことができるが、選ばれた具体的置換基に応じて、より多くの炭素原子数も可能である。
【００３９】
【実施例】
例１
個々のイエロー色素供与体要素を、厚さ１００μｍのポリ（エチレンテレフタレイト）支持体上に、０．４１ｇ／ｍ２のポリビニルブチラールバインダー［Ｗａｃｋｅｒ　Ｃｈｅｍｉｅ社製ＢＳ１８］又は０．４１ｇ／ｍ２の酢酸プロピオン酸セルロース［Ｅａｓｔｍａｎ　Ｃｈｅｍｉｃａｌ社製ＣＡＰ　４８２−２０］中に、１又は２種以上のイエロー色素、及び米国特許第４９５０６３９号明細書の２欄３〜６８行および３欄１〜３行に記載されている赤外線吸収性ビス（アミノアリール）ポリメチン色素の混合物０．０４６ｇ／ｍ２を含有する色素層を塗布することによって調製した。下記表１に示した実験比率を記載の塗被量中で用いた。乾燥被覆量は、使用した画像色素の量を示す。
【００４０】
【表１】
2004025863.tif 000013
【００４１】
比較用の対照１は、コダック・アプルーバル・イエロー・デジタル・カラープルーフィング・フィルム（Ｋｏｄａｋ　Ａｐｐｒｏｖａｌ（商標）Ｙｅｌｌｏｗ　Ｄｉｇｉｔａｌ　Ｃｏｌｏｒ　Ｐｒｏｏｆｉｎｇ　Ｆｉｌｍ）ＣＡＴ＃１１８７０３８である。中間色素受容性要素であるコダック・アプルーバル・インターミーディエイト・カラープルーフィング・フィルム（Ｋｏｄａｋ　Ａｐｐｒｏｖａｌ（商標）　Ｉｎｔｅｒｍｅｄｉａｔｅ　Ｃｏｌｏｒ　Ｐｒｏｏｆｉｎｇ　Ｆｉｌｍ）ＣＡＴ＃１０６７５６０を上記色素供与体要素と共に用いて、画像を印刷した。単色のイエロー画像の場合、米国特許第４８７６２３５号明細書に記載されているように、レーザーアレイに対する出力を変調することにより、濃度を変えた均一露光段階の連続調画像を作製した。露光後、その中間受容体をコダック・アプルーバル・プリラミネイト（Ｋｏｄａｋ　Ａｐｐｒｏｖａｌ（商標）Ｐｒｅｌａｍｉｎａｔｅ）Ｐ０１であらかじめ積層されている特菱アート紙（三菱）に積層した。
【００４２】
イエロー画像の全ての測定値は、Ｄ５０光源および２°の観察者角度にセットされたＸ−Ｒｉｔｅ９３８ポータブル分光光度計を用いて測定した。読み取りは試料の背後に黒色の裏張りを用いて行なった。報告したＣＩＥＬＡＢのＬ＊ａ＊ｂ＊座標を、１．０１のステータスＴ濃度に対して補間した。
【００４３】
試料間の色差をΔＥとして表わすことができ、ΔＥはレーザー感熱生成画像とジャパンカラー目標との間のＣＩＥＬＡＢ色空間におけるベクトル差である。
2004025863.tif 000014
ここで、下添字のｅは実験材料からの測定値を表わし、ｓはジャパンカラー目標からの測定値を表わす。
表２は得られた結果の要約である。カラー標準として、ＩＳＯ／ＴＣ１３０日本国内委員会によって現在検討中のジャパンカラー／カラーサンプル測色値２００１を用いた。
【００４４】
【表２】
2004025863.tif 000015
【００４５】
例２
個々のイエロー色素供与体要素を、厚さ１００μｍのポリ（エチレンテレフタレイト）支持体上に、Ｙ−７及びＹ−８については０．３８ｇ／ｍ２の、Ｙ−９については０．４５ｇ／ｍ２の、ポリビニルブチラールバインダー［Ｂｕｔｖａｒ　Ｂ−７２］中に、イエロー色素及び米国特許第４９５０６３９号明細書の２欄３〜６８行および３欄１〜３行に記載されている赤外線吸収性ビス（アミノアリール）ポリメチン色素の混合物０．０５４ｇ／ｍ２を含有する色素層を塗布することによって調製した。下記表３に示した実験比率を記載の塗被量中で用いた。
【００４６】
【表３】
2004025863.tif 000016
【００４７】
比較用の対照１は、コダック・アプルーバル・イエロー・デジタル・カラープルーフィング・フィルム（Ｋｏｄａｋ　Ａｐｐｒｏｖａｌ（商標）Ｙｅｌｌｏｗ　Ｄｉｇｉｔａｌ　Ｃｏｌｏｒ　Ｐｒｏｏｆｉｎｇ　Ｆｉｌｍ）ＣＡＴ＃１１８７０３８である。中間色素受容性要素であるコダック・アプルーバル・インターミーディエイト・カラープルーフィング・フィルム（Ｋｏｄａｋ　Ａｐｐｒｏｖａｌ（商標）Ｉｎｔｅｒｍｅｄｉａｔｅ　Ｃｏｌｏｒ　Ｐｒｏｏｆｉｎｇ　Ｆｉｌｍ）ＣＡＴ＃１０６７５６０を上記色素供与体要素と共に用いて、画像を印刷した。露光後、その中間受容体をコダック・アプルーバル・プリラミネイト（Ｋｏｄａｋ　Ａｐｐｒｏｖａｌ（商標）Ｐｒｅｌａｍｉｎａｔｅ）Ｐ０２であらかじめ積層されている６０＃テキストウェブ（ＴｅｘｔＷｅｂＴＭ）紙［デフェリアントペイパーカンパニー（Ｄｅｆｅｒｉｅｎｔ　Ｐａｐｅｒ　Ｃｏｍｐａｎｙ）］に積層した。
【００４８】
イエロー画像のＳＷＯＰ及びＡＮＳＩ−ＣＧＡＴＳ　ＴＲ　００１−１９９５比較測定値は、Ｄ５０光源および２°の観察者角度にセットされたグレタッグ（Ｇｒｅｔａｇ）ＳＰＭ１００ポータブル分光光度計を用いて測定した。全ての読み取りは試料の背後に黒色の裏張りを用いて行なった。報告したＣＩＥＬＡＢのＬ＊ａ＊ｂ＊座標を、ＳＷＯＰ認証プレスシート（００−１５−１６２）との比較においては０．９８のステータスＴ濃度（但し、対照の場合は０．９８及び０．９０両方のステータスＴ濃度）に対して、そして公表されたＡＮＳＩ−ＣＧＡＴＳ　ＴＲ００１−１９９５との比較においては１．０のステータスＴ濃度において、補間した。
【００４９】
【表４】
2004025863.tif 000017
【００５０】
本発明による例はすべて、同等濃度で認証プレスシート又はＴＲ００１シートに印刷された時に、対照と比較して低いΔＥを示す。上記のデータはまた、正確な色に近づけるためには、対照をインクよりも有意に低い濃度で印刷しなければならないことをも示している。対照をインクと同一濃度で印刷すると、色エラーは許容できない。プレス目標に整合させようとすると、顧客は、色を整合させるため有意に低い校正刷濃度を使用しなければならず、もはや当該校正刷はプレス上に期待されるものの真正な濃度代表物とはならない。
【００５１】
また上記例を、「標的」の特定されたカラー目標に対して、前記式を用いてＲＭＳエラーに関して比較した。その結果を表５に要約する。
【００５２】
【表５】
2004025863.tif 000018
【００５３】
上記データから分かるように、本発明の例は、より小さなＲＭＳエラーを示し、このため標的とするインクにより近いスペクトル整合を提供する。
同じような比較をＳＷＯＰ認証プレス目標について行い、その結果を表６に示した。
【００５４】
【表６】
2004025863.tif 000019
【００５５】
上記データから分かるように、本発明の例は、有意に小さなＲＭＳエラーを示し、標的とするインクに顕著に近いスペクトル整合と相関する。
本明細書中で言及した特許明細書および他の刊行物の全内容を本明細書の一部とする。
【００５６】
以下、本発明の好ましい実施態様を項分け記載する。
〔１〕２種以上のイエロー色素の組合せを含有するイエロー色素ドナーを含んで成り、該イエロー色素の組合せが示すＲＭＳエラーが０．０１５未満であることを特徴とする、感熱色素転写式画像形成ドナー要素。
〔２〕下式Ｉ〜ＩＩＩで表わされる色素から選ばれた２種以上の色素を含む、〔１〕項に記載の要素。
【００５７】
【化１６】
2004025863.tif 000020
【００５８】
（上式中、
Ｒ１は、炭素原子数１〜６のアルキル又はアリル基であり、
Ｒ２は、Ｒ１について定義された基のいずれかであるか又は、Ｒ３と結合したときに５員環もしくは６員環を形成する原子群を表わし、
Ｒ３は、Ｒ１について定義されたアルキル基であるか、炭素原子数１〜６のアルコキシ基であるか又は、Ｒ２と結合したときに５員環もしくは６員環を形成する原子群を表わし、
Ｒ４は、Ｒ１について定義されたアルキル基又は炭素原子数６〜１０のアリール基であり、そして
Ｒ５は、Ｒ４について定義された基のいずれかである。）
【００５９】
【化１７】
2004025863.tif 000021
【００６０】
（上式中、
Ｒ６は、炭素原子数１〜６のアルキル又はアリル基であり、
Ｒ７は、Ｒ６について定義された基のいずれかであるか又は、Ｒ８と結合したときに５員環もしくは６員環を形成する原子群を表わし、
Ｒ８は、Ｒ６について定義されたアルキル基であるか、炭素原子数１〜６のアルコキシ基であるか又は、Ｒ７と結合したときに５員環もしくは６員環を形成する原子群を表わし、そして
Ｒ９は、シアノ基又は−ＣＯＮＲ１０Ｒ１１（式中Ｒ１０及びＲ１１は、各々独立に、炭素原子数１〜６のアルキル基、炭素原子数５〜７のシクロアルキル基、アリル基、炭素原子数６〜１０のアリール基又は原子数５〜１０のヘテロアリール基を表わす。）である。）
【００６１】
【化１８】
2004025863.tif 000022
【００６２】
（上式中、
Ｒ１０は、メチル基、炭素原子数１〜１０のアルコキシ基、炭素原子数６〜１０のアリールオキシ基、アシル基、カルボンアミド基、カルボアルコキシ基又はアミノ基を表わし、
Ｒ１１は、炭素原子数１〜１０のアルキル基、炭素原子数５〜７のシクロアルキル基又は炭素原子数６〜１０のアリール基を表わし、そして
Ｒ１２及びＲ１３は、各々独立に、炭素原子数１〜６のアルキル基、炭素原子数５〜７のシクロアルキル基、アリル基、炭素原子数６〜１０のアリール基又は原子数５〜１０のヘテロアリール基を表す。）
〔３〕前記式ＩＩのイエロー色素が、Ｒ６及びＲ７の各々がアルキル基であり、かつ、Ｒ９がシアノ基、カルバモイル基又はアルコキシカルボニル基である色素である、〔２〕項に記載の要素。
〔４〕前記式Ｉ、ＩＩ及びＩＩＩで表わされる各イエロー色素を含有する、〔２〕項に記載の要素。
〔５〕下式ＩＶで表わされる追加の色素を含有する、〔２〕項に記載の要素。
【００６３】
【化１９】
2004025863.tif 000023
【００６４】
（上式中、
Ｒ１４は、メチル基、炭素原子数１〜１０のアルコキシ基、炭素原子数６〜１０のアリールオキシ基、アシル基、カルボンアミド基、カルボアルコキシ基又はアミノ基を表わし、
Ｒ１５は、炭素原子数１〜１０のアルキル基、炭素原子数５〜７のシクロアルキル基又は炭素原子数６〜１０のアリール基を表わし、
Ｒ１６は、炭素原子数１〜１０のアルキル基、炭素原子数５〜７のシクロアルキル基、アリル基、炭素原子数６〜１０のアリール基又は原子数５〜１０のヘテロアリール基を表わし、
ＸはＣ（ＣＨ３）２、Ｓ、Ｏ又はＮＲ１５を表わし、そして
Ｙは置換型又は無置換型のフェニレン基を表わす。）
〔６〕さらにＩＲ色素を含む、〔１〕又は〔２〕項に記載の要素。
〔７〕前記ＩＲ色素が下式Ｖで表わされる、〔６〕項に記載の要素。
【００６５】
【化２０】
2004025863.tif 000024
【００６６】
上式中、
Ｒ２０、Ｒ２１及びＲ２２は、各々独立に、水素、ハロゲン、シアノ、アルコキシ、アリールオキシ、アシルオキシ、アリールオキシカルボニル、アルコキシカルボニル、スルホニル、カルバモイル、アシル、アシルアミド、アルキルアミノ、アリールアミノ、アルキル、アリールもしくはヘテロアリール基を表わすが、Ｒ２０、Ｒ２１及びＲ２２のうちの任意の２つが、互いに結合することにより、又は隣接する芳香環に結合することにより、５〜７員の炭素環式又は複素環式の環基を完成することはでき、
Ｒ２３、Ｒ２４、Ｒ２５及びＲ２６は、各々独立に、水素、炭素原子数１〜６のアルキルもしくはシクロアルキル基又は原子数５〜１０のアリールもしくはヘテロアリール基を表わすが、Ｒ２３、Ｒ２４、Ｒ２５及びＲ２６は、互いに結合することにより５〜７員の複素環式環を形成すること、或いは、隣接する芳香環の当該アニリノ窒素の結合位置に対してオルト位にある炭素原子に結合することにより、それらが結合している窒素と共に、５員もしくは６員の複素環式環基を形成することができ、
ｎは１〜５であり、
Ｘは１価のアニオンであり、そして
Ｚ１及びＺ２は、各々独立に、Ｒ２０又は、５〜７員の炭素環式もしくは複素環式の縮合環を完成するのに必要な原子群を表わす。
〔８〕０．０１５未満のＲＭＳエラーを示す２種以上のイエロー色素を含んで成る、イエロー画像を形成するのに有用な色素の組合せ。
〔９〕該２種のイエロー色素が下式Ｉ〜ＩＩＩで表わされる色素から選ばれた、〔８〕項に記載の組合せ。
【００６７】
【化２１】
2004025863.tif 000025
【００６８】
（上式中、
Ｒ１は、炭素原子数１〜６のアルキル又はアリル基であり、
Ｒ２は、Ｒ１について定義された基のいずれかであるか又は、Ｒ３と結合したときに５員環もしくは６員環を形成する原子群を表わし、
Ｒ３は、Ｒ１について定義されたアルキル基であるか、炭素原子数１〜６のアルコキシ基であるか又は、Ｒ２と結合したときに５員環もしくは６員環を形成する原子群を表わし、
Ｒ４は、Ｒ１について定義されたアルキル基又は炭素原子数６〜１０のアリール基であり、そして
Ｒ５は、Ｒ４について定義された基のいずれかである。）
【００６９】
【化２２】
2004025863.tif 000026
【００７０】
（上式中、
Ｒ６は、炭素原子数１〜６のアルキル又はアリル基であり、
Ｒ７は、Ｒ６について定義された基のいずれかであるか又は、Ｒ８と結合したときに５員環もしくは６員環を形成する原子群を表わし、
Ｒ８は、Ｒ６について定義されたアルキル基であるか、炭素原子数１〜６のアルコキシ基であるか又は、Ｒ７と結合したときに５員環もしくは６員環を形成する原子群を表わし、そして
Ｒ９は、シアノ基又は−ＣＯＮＲ１０Ｒ１１（式中Ｒ１０及びＲ１１は、各々独立に、炭素原子数１〜６のアルキル基、炭素原子数５〜７のシクロアルキル基、アリル基、炭素原子数６〜１０のアリール基又は原子数５〜１０のヘテロアリール基を表わす。）である。）
【００７１】
【化２３】
2004025863.tif 000027
【００７２】
（上式中、
Ｒ１０は、メチル基、炭素原子数１〜１０のアルコキシ基、炭素原子数６〜１０のアリールオキシ基、アシル基、カルボンアミド基、カルボアルコキシ基又はアミノ基を表わし、
Ｒ１１は、炭素原子数１〜１０のアルキル基、炭素原子数５〜７のシクロアルキル基又は炭素原子数６〜１０のアリール基を表わし、そして
Ｒ１２及びＲ１３は、各々独立に、炭素原子数１〜６のアルキル基、炭素原子数５〜７のシクロアルキル基、アリル基、炭素原子数６〜１０のアリール基又は原子数５〜１０のヘテロアリール基を表す。）
〔１０〕該組合せが３種以上のイエロー色素を含む、〔８〕項に記載の組合せ。
〔１１〕〔１〕項に記載の要素から受容性要素へ色素を像様転写する工程を含む、画像形成方法。
〔１２〕〔１〕項に記載の要素から色素昇華を介して受容性要素へ色素を像様転写する工程を含む、画像形成方法。